(57)【要約】【課題】ドレンパン内に残留するドレンを少なくし、ドレンによる水垢や蚊の発生を抑制するようにした空気調和機を提供する。【解決手段】建屋３の天井部６に設置されるユニット本体７と、このユニット本体７内に収容される熱交換器１８及び送風ファン１９と、前記熱交換器１８で発生する凝縮水を貯留するドレンパン３７と、このドレンパン３７に貯留される水を排水するドレンポンプ４１とを備えた空気調和機において、前記ドレンパン３７内にドレンパン３７の内容積を縮小する固形物４５を配設した。【選択図】      図３
2004294021.tif 000002
【特許請求の範囲】
【請求項１】
建屋の天井部に設置されるユニット本体と、このユニット本体内に収容される熱交換器及び送風ファンと、前記熱交換器で発生する凝縮水を貯留するドレンパンと、このドレンパンに貯留される水を排水するドレンポンプとを備えた空気調和機において、
前記ドレンパン内にドレンパンの内容積を縮小する固形物を配設したことを特徴とする空気調和機。
【請求項２】
建屋の天井部に設置されるユニット本体と、このユニット本体内に収容される熱交換器及び送風ファンと、前記熱交換器で発生する凝縮水を貯留するドレンパンと、このドレンパンに貯留される水を排水するドレンポンプとを備え、前記ユニット本体内を、前記熱交換器を収容する熱交換器室と、前記送風ファンを収容する送風機室とに区画し、前記ドレンパンは熱交換器室の下部全体に設けられた空気調和機において、
前記ドレンパンは、熱交換器からの凝縮水を受ける露受部と凝縮水を貯留する貯留凹部とを有し、前記露受部内に固形物を配設して凝縮水を受ける部分の容積を縮小したことを特徴とする空気調和機。
【請求項３】
前記貯留凹部内に貯留凹部の内容積を縮小する固形物を配設したことを特徴とする請求項２に記載の空気調和機。
【発明の詳細な説明】
【０００１】
【発明の属する技術分野】
本発明は、建屋の天井部に設置されるユニット本体内に熱交換器及び送風ファンを備えた空気調和機に関する。
【０００２】
【従来の技術】
従来、建屋の天井空間に設置されるユニット本体に、熱交換器及び送風ファンを収容したビルトイン型空気調和機が知られている。
【０００３】
この種の空気調和機は、例えば、ユニット本体の側面に吹出ダクトが延設され、熱交換器にて熱交換された空気を、吹出ダクトを介して室内の適宜位置へ導き室内に吹き出すことができるので、室内の美観を損なうことなく最適な空気調和を実現できる。
【０００４】
このビルトイン型空気調和機には、図５、図６に示すように、パネル仕様ビルトイン型空気調和機６１とダクト仕様ビルトイン型空気調和機７１とがある。パネル仕様ビルトイン型空気調和機６１は、ユニット本体６１Ａの下面に設けられて天井板に設置される天井パネル６２から室内空気を吸い込むものである。一方、ダクト仕様ビルトイン型空気調和機７１は、ユニット本体７１Ａの背面に吸込ダクト７２を設けて、この吸込ダクト７２を介し室内空気を吸い込むものである。
【０００５】
これらユニット本体６１Ａ、７１Ａは、図７に示すように、箱体８０内に仕切板８１が設置され、この仕切板８１により、熱交換器８２が収容される熱交換器室８３と、送風ファン及びファンモータ８４が収容される送風機室８５とに仕切られる。熱交換器室８３には、下部に熱交換器８２からの凝縮水を受けるドレンパン８６が配置されており、このドレンパン８６の上方にドレンポンプ８７を備え、ドレンポンプ８７の吸込口８８がドレンパン８６の底表面８９から少し上方の位置に設けられる（例えば、特許文献１参照）。
【０００６】
【特許文献１】
特開２０００−２８３４９１号公報。
【０００７】
【発明が解決しようとする課題】
ところで、冷房運転時に熱交換器８２で発生する凝縮水は、ドレンとなってドレンパン８６内に貯留される。貯留されたほとんどのドレンは、ドレンポンプ８７によって吸い上げられ排水されるが、ドレンポンプ８７の吸込口８８は、ドレンパン８６の底表面８９より少し上方の位置にあるためドレンパン８６内には少しのドレンが残る。残ったドレンは、天井内の熱気によって蒸発する。
【０００８】
しかしながら、ドレンパン８６内には、蒸発しないドレンが底表面８９に長時間溜まることがあり、この溜まったドレンに室内の塵埃が付着し、更に細菌の作用で、ドレンパン８６の表面に水垢が発生することがある。（蚊の発生する可能性もある。）
この水垢が乾燥して固化し、この水垢固化物がドレンポンプ８７の吸込口８８付近に溜まると、ドレンを吸い込みにくくしたり、吸込口８８を閉塞してしまうおそれがあった。
【０００９】
本発明の目的は、上述の事情を考慮してなされたものであり、ドレンパン内に残留するドレンを少なくし、ドレンによる水垢や蚊の発生を抑制するようにした空気調和機を提供することにある。
【００１０】
【課題を解決するための手段】
上記目的を達成するために、請求項１に記載の発明は、建屋の天井部に設置されるユニット本体と、このユニット本体内に収容される熱交換器及び送風ファンと、前記熱交換器で発生する凝縮水を貯留するドレンパンと、このドレンパンに貯留される水を排水するドレンポンプとを備えた空気調和機において、前記ドレンパン内にドレンパンの内容積を縮小する固形物を配設したことを特徴とする。
【００１１】
請求項２に記載の発明は、建屋の天井部に設置されるユニット本体と、このユニット本体内に収容される熱交換器及び送風ファンと、前記熱交換器で発生する凝縮水を貯留するドレンパンと、このドレンパンに貯留される水を排水するドレンポンプとを備え、前記ユニット本体内を、前記熱交換器を収容する熱交換器室と、前記送風ファンを収容する送風機室とに区画し、前記ドレンパンは熱交換器室の下部全体に設けられた空気調和機において、前記ドレンパンは、熱交換器からの凝縮水を受ける露受部と凝縮水を貯留する貯留凹部とを有し、前記露受部内に固形物を配設して凝縮水を受ける部分の容積を縮小したことを特徴とする。
【００１２】
請求項３に記載の発明は、請求項２に記載の空気調和機において、前記貯留凹部内に貯留凹部の内容積を縮小する固形物を配設したことを特徴とする。
【００１３】
【発明の実施の形態】
以下、本発明の実施の形態を、図面に基づき説明する。
【００１４】
図１は本発明の一実施形態におけるパネル仕様ビルトイン型空気調和機の側面図、図２は本発明の一実施形態におけるダクト仕様ビルトイン型空気調和機の側面図、図３は図２の空気調和機のユニット本体を示す断面図である。
【００１５】
図１に示すパネル仕様ビルトイン型空気調和機１と、図２に示すダクト仕様ビルトイン型空気調和機２は、共に、建屋３の天井４と天井板５との間の天井空間６内に懸吊して配設され、ユニット本体７、吹出ダクト８及び運転制御用の電装箱９を有して構成される。
【００１６】
前記ユニット本体７の箱体１２は、互いに対向配置されて四角枠形状に設けられた４枚の側板１３の上縁部に天板１４が、下縁部の一部にドレンパン押え板１５がそれぞれ固定されて構成される。これらの側板１３、天板１４及びドレンパン押え板１５の内外表面または、内側もしくは外側表面（本実施の形態では外側表面）に断熱材が貼着されている。
【００１７】
このユニット本体７の箱体１２の側板１３には吊り金具１６が固着され、この吊り金具１６が、建屋３の天井４から垂下された吊りボルト１７に止着されて、パネル仕様ビルトイン型空気調和機１、或いはダクト仕様ビルトイン型空気調和機２が建屋３の天井４に懸吊可能に構成される。
【００１８】
このユニット本体７は、箱体１２の内部に、図３に示す室内熱交換器１８、送風ファン１９及びファンモータ２０を収容して構成される。熱交換器１８はユニット本体７の側面に設けられた２つの冷媒配管接続口２１に接続される冷媒配管を用いて、図示しない室外機に接続される。ユニット本体７の熱交換器１８は、室外機から導かれる冷媒の蒸発または凝縮により、後述の如くユニット本体７内に吸い込まれた空気を冷却しまたは暖房する。
【００１９】
なお、図１、図２中の符号２２はドレン配管接続口を示す。
【００２０】
図１に示す前記吹出ダクト８は、通常、複数本がユニット本体７から延設されている。吹出ダクト８のそれぞれは、ユニット本体７の箱体１２の一側板１３Ａに一体に設置された吹出口２３に一端が嵌装され、他端に吹出グリル２４が取付けられる。この吹出グリル２４は、天井板５の適宜位置に設置される。ユニット本体７のファンの回転により、後述の如くユニット本体７内に室内空気が吸い込まれ、熱交換器１８により熱交換された空気が、吹出ダクト８を経て吹出グリル２４から室内へ吹き出される。
【００２１】
ところで、図１に示すパネル仕様ビルトイン型空気調和機１は、ユニット本体７の下部開口に天井パネル２５が嵌装されたものである。この天井パネル２５は、中央位置に吸込開口を備え、この吸込開口から室内空気を吸い込み、ユニット本体７内へ導入する。
【００２２】
また、図２に示すダクト仕様ビルトイン型空気調和機２は、ユニット本体７の箱体１２の一側板１３で、吹出口２３が設置された側板１３Ａに対向する側板１３Ｂに、図示しない吸込開口が形成され、この側板１３Ｂに、例えばフィルタボックス２６を介して、通常一本の吸込ダクト２７が連設されたものである。吸込ダクト２７の一端部に吸込グリル２８が嵌装され、この吸込グリル２８が、天井板５の適宜位置に設置される。この吸込グリル２８から室内空気が取り込まれ、吸込ダクト２７を経てユニット本体７内へ吸い込まれる。
【００２３】
なお、ダクト仕様ビルトイン型空気調和機２のユニット本体７の下部開口は、遮風板３１により閉じられる（パネル仕様ビルトイン型空気調和機１のユニット本体７の下部開口は開いている）。本実施の形態では、この遮風板３１の外側にも断熱材が貼着されている。また、前記電装箱９は、図２に示すように、ユニット本体７の側板１３のうち、吹出ダクト８または吸込ダクト２７が配設されていない側板１３Ｃに取付けられる。
【００２４】
さて、ユニット本体７の箱体１２内は、図３に示すように、仕切板３２によって、室内熱交換器１８を収容する熱交換器室３３と、ファン及びファンモータを収容する送風機室３４とに仕切られる。この仕切板３２は、図示しないセルフタップねじによって天板１４に固定されている。
【００２５】
仕切板３２には、Ｔ字形状に延びる補強ビード３５が膨出して形成されると共に、送風口３６が開口されている。補強ビード３５の成形により、仕切板３２の強度が増大する。また、送風口３６は、ファンの取付位置に対応して形成され、ファンからの送風を熱交換器室３３内へ導く。
【００２６】
熱交換器室３３の下部には、ドレンパン３７が配置され、このドレンパン３７がドレンパン押え板１５により覆われている。ドレンパン３７は一般に、発泡スチロールなどの発泡樹脂にて形成されている。また、ドレンパン押え板１５は、遮風板２５と同様に、ほぼ長方形状に形成されている。
【００２７】
ドレンパン押え板１５の側縁部１５Ｅは、遮風板２５の側縁部と共に、セルフタップねじなどを用いて仕切板３２に共締め固定される。また、ドレンパン押さえ板１５の３つの他側縁部１５Ｆは、箱体１２の側板１３Ａ、１３Ｃ及び１３Ｄにセルフタップねじなどにより固定される。更に、遮風板２５の３つの他側縁部は、箱体１２の側板１３Ｂ、１３Ｃ、１３Ｄにセルフタップねじなどにより固定される。
【００２８】
ところで、前記ドレンパン３７は、熱交換器室３３の下部のほぼ全体に亘って設けられ、図３及び図４に示すように、熱交換器１８からの凝縮水を受ける平面状の露受部４４と、凝縮水を貯留する貯留凹部３８とが形成されている。この露受部４４は、貯留凹部３８へ向かって下方に傾斜して構成される。露受部４４のうち熱交換器１８から離れた箇所には発泡スチロールで作られた固形物４５が敷き詰められ、敷き詰められることにより露受部４４の容積を縮小させ、熱交換器１８の下方に貯留凹部３８への水路のみ形成させている。固形物４５の表面は、カバー４６で覆っている。
【００２９】
前記貯留凹部３８は、ドレンパン３７の一端部側に設けられてドレンを一時貯留し、この貯留凹部３８内側にフロートスイッチ３９が、上方にドレンポンプ４１が配置されている。前記フロートスイッチ３９は貯留凹部３８の水位を検出し水位が所定位置に達したときにドレンポンプ４１を作動させるようになっている。前記ドレンポンプ４１はその出口を前記ドレン配管接続口２２（図１、図２）に接続し、入口としての吸込口４３が貯留凹部３８内で、かつ貯留凹部３８の底面から少し上方の位置に設けられている。貯留凹部３８内には、ドレンポンプ４１の下方、フロートスイッチ３９の配置部分及び露受部４４に面する部分以外の箇所に発泡スチロールで作られた固形物４５が敷き詰められ、敷き詰められることにより貯留凹部３８の容積を縮小させている。固形物４５の表面は、カバー４７で覆っている。
【００３０】
室内熱交換器１８で発生した凝縮水がドレン水となってドレンパン３７の露受部４４に滴下する。ドレン水は貯留凹部３８に貯留された後、ドレンポンプ４１によって汲み上げられ、ドレン配管接続口２２に接続されたドレン配管（図示せず）を経て強制排水される。
【００３１】
このように構成されたドレンパンにおいては、次の効果を奏する。
【００３２】
露受部４４の内容積が縮小したことから、熱交換器１８から流れ落ちた凝縮水は、露受部４４に滴下した後、広がらずにすばやく貯留凹部３８に流れ込み、露受部４４の表面が乾き易くなり、露受部４４内を清潔に保つことができる。
【００３３】
さらに、貯留凹部３８の内容積が縮小したことから、貯留凹部３８の水面が早く上昇しドレンポンプ４１が早いうちに稼動する。ドレンポンプ４１の吸込口４３下方の貯留凹部３８にはわずかにドレンが残留するが、ドレン水量が少ないので、貯留凹部３８内が乾きやすくなり水垢や蚊の発生を抑制することができる。
【００３４】
また、貯留凹部３８内の内容積が縮小していることから、水垢の大きさが制限される。このため、この水垢により作られた固化物がドレンポンプ４１の吸込口４３を塞ぐようなことがなく、ドレンポンプ４１に吸い込まれてドレンと共に排水されるので、ドレンポンプ４１の故障を回避することができる。
【００３５】
以上、本発明を上記実施の形態に基づいて説明したが、本発明はこれに限定されるものではない。
【００３６】
【発明の効果】
以上のように、本発明に係る空気調和機によれば、熱交換器室の下部に配置されたドレンパンの内容積を縮小させたので、ドレンパン内に残留する水量が減少し、ドレンパン内が乾きやすくなり水垢や蚊の発生を抑制し、ドレンパン内を清潔に保つことができる。
【図面の簡単な説明】
【図１】本発明の一実施形態におけるパネル仕様ビルトイン型空気調和機の側面図である。
【図２】本発明の一実施形態におけるダクト仕様ビルトイン型空気調和機の側面図である。
【図３】図２の空気調和機のユニット本体を示す断面図である。
【図４】ドレンパンの平面図である。
【図５】従来のパネル仕様ビルトイン型空気調和機の斜視図である。
【図６】従来のダクト仕様ビルトイン型空気調和機の斜視図である。
【図７】図６の空気調和機のユニット本体を示す断面図である。
【符号の説明】
１  パネル仕様ビルトイン型空気調和機
２  ダクト仕様ビルトイン型空気調和機
３  建屋
４  天井
６  天井空間（天井部）
７  ユニット本体
８  吹出ダクト
１８  室内熱交換器
１９  送風ファン
２０  ファンモータ
２２  ドレン配管接続口
３２  仕切板
３３  熱交換器室
３４  送風機室
３７  ドレンパン
３８  貯留凹部
４１  ドレンポンプ
４３  吸込口
４４  露受部
４５  固形物
【図１】
2004294021.tif 000003
【図２】
2004294021.tif 000004
【図３】
2004294021.tif 000005
【図４】
2004294021.tif 000006
【図５】
2004294021.tif 000007
【図６】
2004294021.tif 000008
【図７】
2004294021.tif 000009